(57)【要約】【課題】ＬＣＧよりも細かい粒度で、移動局から無線基地局に対してバッファ内のデータの総蓄積量を報告する。【解決手段】本発明に係る移動局ＵＥは、ＬＣＧを管理すると共に、データフローに割り当てられている優先度のグループであるＤＦＧを管理するように構成されている管理部１１と、無線基地局ｅＮＢに対して、ＬＣＧ及びＤＦＧの組み合わせに対応するバッファ内のデータの総滞留量を通知するように構成されている送信部１３とを具備する。【選択図】図３
2014212441.tif 000002
【特許請求の範囲】
【請求項１】
移動局であって、
論理チャネルグループを管理すると共に、データフローに割り当てられている優先度のグループである優先度グループを管理するように構成されている管理部と、
無線基地局に対して、前記論理チャネルグループ及び前記優先度グループの組み合わせに対応するバッファ内のデータの総滞留量を通知するように構成されている送信部とを具備することを特徴とする移動局。
【請求項２】
移動局であって、
論理チャネルグループを管理すると共に、データフローに割り当てられている優先度のグループである優先度グループを管理するように構成されている管理部と、
無線基地局に対して、バッファステータスレポートにおける所定論理チャネルグループに対応するバッファ内のデータの総滞留量を通知する領域によって、前記優先度グループに対応するバッファ内のデータの総滞留量を通知するように構成されている送信部とを具備することを特徴とする移動局。
【請求項３】
移動局であって、
データフローに割り当てられている優先度のグループである優先度グループを管理するように構成されている管理部と、
無線基地局に対して、所定優先度グループに対応するバッファ内のデータの総滞留量を通知するように構成されている送信部とを具備し、
前記送信部は、前記所定優先度グループ以外の優先度グループに対応するバッファ内にデータが滞留している場合であっても、該所定優先度グループ以外の優先度グループに対応するバッファ内のデータの総滞留量を通知せずに、該バッファ内にデータが滞留している旨を通知するように構成されていることを特徴とする移動局。
【請求項４】
前記所定優先度グループは、所定タイマが起動していない優先度グループであることを特徴とする請求項３に記載の移動局。
【請求項５】
前記所定タイマは、前記無線基地局による指示に応じて起動するように構成されていることを特徴とする請求項４に記載の移動局。
【請求項６】
前記所定タイマの値は、前記優先度グループごとに独立して設定されるように構成されていることを特徴とする請求項４又は５に記載の移動局。
【請求項７】
無線基地局であって、
データフローに割り当てられている優先度のグループである優先度グループに対応するバッファ内のデータの総滞留量を通知することができる移動局に対して、所定優先度グループ以外の優先度グループに対応するバッファ内にデータが滞留している場合であっても、該所定優先度グループ以外の優先度グループに対応するバッファ内のデータの総滞留量を通知せずに、該バッファ内にデータが滞留している旨を通知するように指示するように構成されている送信部を具備することを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥは、上りリンクにおいて送信すべきデータが発生した場合には、以下の手順が行われることが規定されている（非特許文献１参照）。
【０００３】
ステップ１において、移動局ＵＥは、無線基地局ｅＮＢに対して、スケジューリング要求信号を送信する。
【０００４】
図１０に示すように、移動局ＵＥは、個別の上りリンクリソース（ＰＵＣＣＨ-ｓｃｈｅｄｕｌｉｎｇ  ｒｅｑｕｅｓｔ）を有している場合、かかる上りリンクリソースを用いて、無線基地局ｅＮＢに対して、スケジューリング要求信号を送信する。
【０００５】
一方、移動局ＵＥは、個別の上りリンクリソースを有していない場合、ＲＡ（Ｒａｎｄｏｍ  Ａｃｃｅｓｓ）手順を実行する。
【０００６】
ステップ２において、移動局ＵＥは、無線基地局ｅＮＢに対して、ＢＳＲ（Ｂｕｆｆｅｒ  Ｓｔａｔｕｓ  Ｒｅｐｏｒｔ）を送信する。
【０００７】
図１０に示すように、移動局ＵＥは、ステップ１において割り当てられた「ＵＬ  ｇｒａｎｔ」に対応するＰＵＳＣＨ（Ｐｈｙｓｉｃａｌ  Ｕｐｌｉｎｋ  Ｓｈａｒｅｄ  Ｃｈａｎｎｅｌ）を介して、無線基地局ｅＮＢに対して、ＢＳＲを送信する。
【０００８】
なお、ＲＡ手順が実行される場合には、「ＵＬ  ｇｒａｎｔ」は、「ＲＡ  ｒｅｓｐｏｎｓｅ」によって移動局ＵＥに対して割り当てられる。
【０００９】
図１１に示すように、移動局ＵＥは、送信すべきデータがバッファ内に蓄積されているＬＣＨ（Ｌｏｇｉｃａｌ  Ｃｈａｎｎｅｌ）を含むＬＣＧ（Ｌｏｇｉｃａｌ  Ｃｈａｎｎｅｌ  Ｇｒｏｕｐ）ごとに、かかるデータの総蓄積量をＢＳＲによって報告するように構成されている。
【００１０】
図１１の例では、移動局ＵＥは、ＬＣＨ＃Ａ〜＃Ｄごとではなく、ＬＣＧ＃０〜＃２ごとに、バッファ内のデータの総蓄積量について報告するように構成されている。
【００１１】
また、ＬＴＥ方式のＲｅｌｅａｓｅ-１２では、「ＵＰＣＯＮ（Ｕ-Ｐｌａｎｅ  Ｃｏｎｇｅｓｔｉｏｎ  Ｍａｎａｇｅｍｅｎｔ）  ＷＩ（Ｗｏｒｋｉｎｇ  Ｉｔｅｍ）」において、Ｕ-ｐｌａｎｅ信号による無線アクセスネットワーク側の輻輳の回避について検討されている。
【００１２】
最近は、同じウェブブラウザのサービスであっても、文字や画像や動画やストリーミング等が混在している。
【００１３】
このような状況下で、無線アクセスネットワーク側において輻輳が発生している場合、例えば、ストリーミング、文字、画像、動画という順番で送信したい。
【００１４】
「ＵＰＣＯＮ  ＷＩ」では、ＱＣＩに加えて、より細かい優先制御を行うために、データフロー（ＩＰフロー）ごとの優先度としての「ＦＰＩ（Ｆｌｏｗ  Ｐｒｉｏｒｉｔｙ  Ｉｎｄｉｃａｔｏｒ）」を定義し、無線基地局ｅＮＢ（のスケジューラ）が、かかるＦＰＩによってＱｏＳ制御及び優先制御を行うための解決手段について議論されている（非特許文献２参照）。
【先行技術文献】
【非特許文献】
【００１５】
【非特許文献１】３ＧＰＰ  ＴＳ３６.３２１
【非特許文献２】３ＧＰＰ仕様  Ｓ２-１３００６０
【発明の概要】
【発明が解決しようとする課題】
【００１６】
しかしながら、現在のＬＴＥ方式では、移動局ＵＥは、ＦＰＩ単位で、バッファ内のデータの総蓄積量を報告することができない。
【００１７】
図１２に示すように、ＬＣＨ（ベアラ）＃１内にＦＰＩ＃Ｘのデータフロー及びＦＰＩ＃Ｙのデータフローが存在し、ＬＣＨ（ベアラ）＃２内にＦＰＩ＃Ｙのデータフロー及びＦＰＩ＃Ｚのデータフローが存在し、ＬＣＨ（ベアラ）＃３内にＦＰＩ＃Ｘのデータフローが存在する場合であっても、移動局ＵＥは、ＦＰＩ＃Ｘ〜＃Ｚを意識することなく、ＬＣＧ＃１〜＃３ごとに、バッファ内のデータの総蓄積量を報告するように構成されている。
【００１８】
基本的に、無線基地局ｅＮＢは、輻輳している場合には、高い優先度のデータに対するスケジューリングを早く行い、低い優先度のデータに対するスケジューリングについては一時的に停止しておき、輻輳が解消された後に、低い優先度のデータに対するスケジューリングを行いたい。
【００１９】
しかしながら、現在のＬＴＥ方式では、無線基地局ｅＮＢは、高い優先度のＦＰＩが割り当てられているデータに対して早期にスケジューリングを行うことができなかったり、低い優先度のＦＰＩが割り当てられているデータに対して不要に早くスケジューリングを行い、他の高い優先度のＦＰＩが割り当てられているデータが遅延する可能性があったりという問題点がある。
【００２０】
そこで、本発明は、上述の課題に鑑みてなされたものであり、ＬＣＧよりも細かい粒度で、移動局から無線基地局に対してバッファ内のデータの総蓄積量を報告することができる移動局及び無線基地局を提供することを目的とする。
【課題を解決するための手段】
【００２１】
本発明の第１の特徴は、移動局であって、論理チャネルグループを管理すると共に、データフローに割り当てられている優先度のグループである優先度グループを管理するように構成されている管理部と、無線基地局に対して、前記論理チャネルグループ及び前記優先度グループの組み合わせに対応するバッファ内のデータの総滞留量を通知するように構成されている送信部とを具備することを要旨とする。
【００２２】
本発明の第２の特徴は、移動局であって、論理チャネルグループを管理すると共に、データフローに割り当てられている優先度のグループである優先度グループを管理するように構成されている管理部と、無線基地局に対して、バッファステータスレポートにおける所定論理チャネルグループに対応するバッファ内のデータの総滞留量を通知する領域によって、前記優先度グループに対応するバッファ内のデータの総滞留量を通知するように構成されている送信部とを具備することを要旨とする。
【００２３】
本発明の第３の特徴は、移動局であって、データフローに割り当てられている優先度のグループである優先度グループを管理するように構成されている管理部と、無線基地局に対して、所定優先度グループに対応するバッファ内のデータの総滞留量を通知するように構成されている送信部とを具備し、前記送信部は、前記所定優先度グループ以外の優先度グループに対応するバッファ内にデータが滞留している場合であっても、該所定優先度グループ以外の優先度グループに対応するバッファ内のデータの総滞留量を通知せずに、該バッファ内にデータが滞留している旨を通知するように構成されていることを要旨とする。
【００２４】
本発明の第４の特徴は、無線基地局であって、データフローに割り当てられている優先度のグループである優先度グループに対応するバッファ内のデータの総滞留量を通知することができる移動局に対して、所定優先度グループ以外の優先度グループに対応するバッファ内にデータが滞留している場合であっても、該所定優先度グループ以外の優先度グループに対応するバッファ内のデータの総滞留量を通知せずに、該バッファ内にデータが滞留している旨を通知するように指示するように構成されている送信部を具備することを要旨とする。
【発明の効果】
【００２５】
以上説明したように、本発明によれば、ＬＣＧよりも細かい粒度で、移動局から無線基地局に対してバッファ内のデータの総蓄積量を報告することができる移動局及び無線基地局を提供することができる。
【図面の簡単な説明】
【００２６】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動局ＵＥによって送信されるＢＳＲのフォーマットの一例を示す図である。
【図４】従来の移動局ＵＥによって送信されるＢＳＲのフォーマットの一例を示す図である。
【図５】本発明の第１の実施形態に係る移動局ＵＥの動作を示すフローチャートである。
【図６】本発明の変更例１に係る移動局ＵＥによって送信されるＢＳＲのフォーマットの一例を示す図である。
【図７】本発明の変更例２に係る無線基地局ｅＮＢの機能ブロック図である。
【図８】本発明の変更例２に係る移動通信システムの動作を説明するための図である。
【図９】本発明の変更例２に係る移動局ＵＥの動作を示すフローチャートである。
【図１０】従来技術を説明するための図である。
【図１１】従来技術を説明するための図である。
【図１２】従来技術を説明するための図である。
【発明を実施するための形態】
【００２７】
（本発明の第１の実施形態に係る移動通信システム）
図１乃至図５を参照して、本発明の第１の実施形態に係る移動通信システムについて説明する。
【００２８】
図１に示すように、本実施形態に係る移動通信システムは、ＬＴＥ方式の移動通信システムであって、無線基地局ｅＮＢと、移動局ＵＥとを具備している。なお、本実施形態に係る移動通信システムでは、上述したＦＰＩを用いることができるように構成されている。
【００２９】
図２に示すように、本実施形態に係る移動局ＵＥは、管理部１１と、生成部１２と、送信部１３と、受信部１４とを具備している。
【００３０】
管理部１１は、ＬＣＧやＤＦＧ（Ｄａｔａ  Ｆｌｏｗ  Ｇｒｏｕｐ）等について管理するように構成されている。
【００３１】
ここで、ＤＦＧは、１つ又は複数のＦＰＩによって構成されているグループである。各ＦＰＩは、いずれか１つのＤＦＧに属するように構成されている。
【００３２】
なお、管理部１１は、無線基地局ｅＮＢからの指示に応じて、各ＦＰＩが属するＤＦＧを決定するように構成されている。
【００３３】
生成部１２は、無線基地局ｅＮＢに送信すべきＢＳＲを生成するように構成されている。
【００３４】
例えば、生成部１２は、ＬＣＧ及びＤＦＧの組み合わせの各々に対応するバッファ内のデータの総滞留量を通知するためのＢＳＲを生成するように構成されている。
【００３５】
ここで、ＦＰＩが通知されていないデータフロー内のデータは、特定のＤＦＧ（例えば、最も優先度が低いＤＦＧ）にマッピングされるように構成されていてもよい。
【００３６】
送信部１３は、無線基地局ｅＮＢに対して各種信号を送信するように構成されており、受信部１４は、無線基地局ｅＮＢから各種信号を受信するように構成されている。
【００３７】
ここで、送信部１３は、無線基地局ｅＮＢに対して、生成部１２によって生成されたＢＳＲを送信するように構成されている。
【００３８】
例えば、図３に、かかるＢＳＲのフォーマットの一例を示す。図３に示すように、かかるＢＳＲは、ＬＣＧ及びＤＦＧの組み合わせの各々に対応するバッファ内のデータの総滞留量を通知するように構成されている。
【００３９】
図３の例では、ＢＳＲは、ＬＣＧ＃０及びＤＦＧ＃０の組み合わせに対応するバッファ内のデータの総滞留量、ＬＣＧ＃１及びＤＦＧ＃０の組み合わせに対応するバッファ内のデータの総滞留量、ＬＣＧ＃２及びＤＦＧ＃０の組み合わせに対応するバッファ内のデータの総滞留量、ＬＣＧ＃３及びＤＦＧ＃０の組み合わせに対応するバッファ内のデータの総滞留量、ＬＣＧ＃０及びＤＦＧ＃２の組み合わせに対応するバッファ内のデータの総滞留量、ＬＣＧ＃１及びＤＦＧ＃１の組み合わせに対応するバッファ内のデータの総滞留量、ＬＣＧ＃１及びＤＦＧ＃２の組み合わせに対応するバッファ内のデータの総滞留量、ＬＣＧ＃１及びＤＦＧ＃３の組み合わせに対応するバッファ内のデータの総滞留量を通知するように構成されている。
【００４０】
これに対して、既存のＢＳＲは、図４（ａ）及び図４（ｂ）に示すように、ＬＣＧに対応するバッファ内のデータの総滞留量を通知するように構成されている。
【００４１】
なお、図４（ｂ）の例では、ＢＳＲは、ＬＣＧ＃０に対応するバッファ内のデータの総滞留量（Ｂｕfｆｅｒ  Ｓｉｚｅ  ＃０）、ＬＣＧ＃１に対応するバッファ内のデータの総滞留量（Ｂｕfｆｅｒ  Ｓｉｚｅ  ＃１）、ＬＣＧ＃２に対応するバッファ内のデータの総滞留量（Ｂｕfｆｅｒ  Ｓｉｚｅ  ＃２）、ＬＣＧ＃３に対応するバッファ内のデータの総滞留量（Ｂｕfｆｅｒ  Ｓｉｚｅ  ＃３）を通知するように構成されている。
【００４２】
以下、図５を参照して、本実施形態に係る移動通信システムの動作について、具体的には、本実施形態に係る移動局ＵＥの動作について説明する。
【００４３】
図５に示すように、移動局ＵＥは、ステップＳ１０１において、ＦＰＩを意識したＢＳＲを報告するように指示されているか否かについて判定する。
【００４４】
ＦＰＩを意識したＢＳＲを報告するように指示されていると判定された場合、本動作は、ステップＳ１０２に進み、ＦＰＩを意識したＢＳＲを報告するように指示されていると判定されなかった場合、本動作は、ステップＳ１０３に進む。
【００４５】
ステップＳ１０２において、移動局ＵＥは、ＦＰＩを意識したＢＳＲ、すなわち、ＬＣＧ及びＤＦＧの組み合わせに対応するバッファ内のデータの総滞留量を通知するためのＢＳＲを生成する。
【００４６】
一方、ステップＳ１０３において、移動局ＵＥは、ＦＰＩを意識しない通常のＢＳＲ、すなわち、ＬＣＧに対応するバッファ内のデータの総滞留量を通知するためのＢＳＲを生成する。
【００４７】
（変更例１）
以下、図６を参照して、本発明の変更例１に係る移動通信システムについて、上述の第１の実施形態に係る移動通信システムとの相違点に着目して説明する。
【００４８】
本変更例１に係る移動通信システムでは、移動局ＵＥの送信部１３は、第１の実施形態に係る移動通信システムとは異なり、新しいＢＳＲのフォーマット（図３参照）を用いることなく、既存のＢＳＲのフォーマット（図６参照）を流用して、ＬＣＧ及びＤＦＧの組み合わせに対応するバッファ内のデータの総滞留量を通知するように構成されている。
【００４９】
既存のＢＳＲのフォーマットは、ＬＣＧの各々に対応するバッファ内のデータの総滞留量を通知するように構成されている。
【００５０】
例えば、送信部１３は、ＢＳＲにおける所定のＬＣＧ（例えば、ＬＣＧ＃０）に対応するバッファ内のデータの総滞留量を通知する領域によって、無線基地局ｅＮＢに対して、ＤＦＧ（例えば、ＤＦＧ＃０）に対応するバッファ内のデータの総滞留量を通知するように構成されていてもよい。
【００５１】
ここで、どのＤＦＧに対応するバッファ内のデータの総蓄積量が報告されているかについては、「ＭＡＣ  ｈｅａｄｅｒ」内の「ｓｕｂｈｅａｄｅｒ」に含まれているＬＣＩＤ（Ｌｏｇｉｃａｌ  Ｃｈａｎｎｅｌ  ＩＤ）によって通知されるように構成されていてもよい。
【００５２】
例えば、ＬＣＩＤとＤＦＧとのマッピングは、無線基地局ｅＮＢによって通知されるように構成されていてもよいし、ＬＣＩＤにマッピングされているＤＦＧは、ＬＣＩＤのＬＳＢの２ビットで表現されるように構成されていてもよい。
【００５３】
（変更例２）
以下、図７乃至図９を参照して、本発明の変更例２に係る移動通信システムについて、上述の第１の実施形態に係る移動通信システムとの相違点に着目して説明する。
【００５４】
図７に示すように、本変更例１に係る無線基地局ｅＮＢは、設定部２１と、検出部２２と、送信部２３と、受信部２４と、スケジューリング部２５とを具備している。
【００５５】
設定部２１は、ＤＦＧの各々に対して、「ＢＳＲｐｒｏｈｉｂｉｔ機能」を「ＯＮ」又は「ＯＦＦ」のいずれかに設定するように構成されている。
【００５６】
なお、設定部２１は、「ＢＳＲｐｒｏｈｉｂｉｔ機能」が「ＯＮ」に設定されているＤＦＧの各々に対して、「ＢＳＲｐｒｏｈｉｂｉｔタイマ」の値を設定するように構成されている。
【００５７】
ここで、設定部２１は、ＤＦＧごとに独立して「ＢＳＲｐｒｏｈｉｂｉｔタイマ」の値を設定することができるように構成されていてもよい。
【００５８】
例えば、本変更例２に係る移動通信システムでは、各ＤＦＧに対して優先度が割り当てられている場合、設定部２１は、高い優先度及び中間の優先度が割り当てられているＤＦＧに対して、「ＢＳＲｐｒｏｈｉｂｉｔ機能」を「ＯＦＦ」に設定し、低い優先度が割り当てられているＤＦＧに対して、「ＢＳＲｐｒｏｈｉｂｉｔ機能」を「ＯＮ」に設定するように構成されていてもよい。
【００５９】
検出部２２は、無線基地局ｅＮＢにおいて輻輳が発生したことを検出するように構成されている。
【００６０】
ここで、設定部２１は、検出部２２によって無線基地局ｅＮＢにおける輻輳の発生が検出された場合に、特定のＤＦＧ対して「ＢＳＲｐｒｏｈｉｂｉｔ機能」を「ＯＮ」に設定するように構成されていてもよい。
【００６１】
送信部２３は、移動局ＵＥに対して各種信号を送信するように構成されており、受信部２４は、移動局ＵＥから各種信号を受信するように構成されている。
【００６２】
ここで、送信部２３は、移動局ＵＥに対して、「ＢＳＲｐｒｏｈｉｂｉｔ機能」が「ＯＮ」に設定されているＤＦＧに対応するバッファ内にデータが滞留している場合であっても、かかるＤＦＧに対応するバッファ内のデータの総滞留量を通知せずに、かかるバッファ内にデータが滞留している旨を通知するように指示するように構成されている。
【００６３】
また、送信部２３は、移動局ＵＥに対して、特定のＤＦＧに対する「ＢＳＲｐｒｏｈｉｂｉｔ機能」を「ＯＮ」にするための信号、すなわち、特定のＤＦＧに対する「ＢＳＲｐｒｏｈｉｂｉｔ機能」をアクティブ化するための信号を送信することによって、上述の指示を行うように構成されている。
【００６４】
かかる信号は、個別信号（例えば、ＭＡＣ-ＣＥ等）によって送信されてもよいし、報知信号によって送信されてもよい。
【００６５】
また、送信部２３は、移動局ＵＥに対して、特定のＤＦＧに対する「ＢＳＲｐｒｏｈｉｂｉｔ機能」を「ＯＦＦ」にするための信号、すなわち、特定のＤＦＧに対する「ＢＳＲｐｒｏｈｉｂｉｔ機能」を非アクティブ化するための信号を送信するように構成されていてもよい。
【００６６】
また、送信部２３は、移動局ＵＥに対して、所定タイミングで、各ＤＦＧに対して設定されている「ＢＳＲｐｒｏｈｉｂｉｔタイマ」の値を通知するように構成されている。
【００６７】
なお、送信部２３は、移動局ＵＥに対して、特定のＤＦＧに対して設定されている「ＢＳＲｐｒｏｈｉｂｉｔタイマ」の値を「０」として通知することによって、特定のＤＦＧに対する「ＢＳＲｐｒｏｈｉｂｉｔ機能」を「ＯＦＦ」にするように指示してもよい。
【００６８】
また、受信部２４は、移動局ＵＥから、ＢＳＲや、「ＢＳＲｐｒｏｈｉｂｉｔ機能」が「ＯＮ」に設定されているＤＦＧに対応するバッファ内にデータが滞留している旨の通知等を受信するように構成されている。
【００６９】
スケジューリング部２５は、受信部２４によって受信されたＢＳＲや上述の通知を参照して、移動局ＵＥに対するスケジューリング処理を行うように構成されている。
【００７０】
なお、送信部２３は、移動局ＵＥに対して、スケジューリング部２５によるスケジューリング結果に基づいて生成したスケジューリング信号を送信するように構成されている。
【００７１】
本変更例２に係る移動局ＵＥでは、送信部１３は、無線基地局ｅＮＢに対して、ＢＳＲによって、「ＢＳＲｐｒｏｈｉｂｉｔ機能」が「ＯＦＦ」に設定されているＤＦＧに対応するバッファ内のデータの総滞留量を通知するように構成されている。
【００７２】
一方、本変更例２に係る移動局ＵＥでは、送信部１３は、「ＢＳＲｐｒｏｈｉｂｉｔ機能」が「ＯＮ」に設定されており且つ「ＢＳＲｐｒｏｈｉｂｉｔタイマ」が起動されているＤＦＧに対応するバッファ内にデータが滞留している場合であっても、無線基地局ｅＮＢに対して、ＢＳＲによって、かかるＤＦＧに対応するバッファ内のデータの総滞留量を通知する代わりに、かかるバッファ内にデータが滞留している旨を通知するように構成されている。
【００７３】
なお、本変更例２に係る移動局ＵＥでは、送信部１３は、無線基地局ｅＮＢに対して、ＢＳＲによって、「ＢＳＲｐｒｏｈｉｂｉｔ機能」が「ＯＮ」に設定されており且つ「ＢＳＲｐｒｏｈｉｂｉｔタイマ」が起動されていないＤＦＧに対応するバッファ内のデータの総滞留量について通知するように構成されていてもよい。
【００７４】
すなわち、本変更例２に係る移動局ＵＥでは、受信部１４が、無線基地局ｅＮＢから、特定のＤＦＧに対する「ＢＳＲｐｒｏｈｉｂｉｔ機能」を「ＯＮ」にするための信号を受信した場合、送信部１３は、かかるＤＦＧに対して設定されている「ＢＳＲｐｒｏｈｉｂｉｔタイマ」を起動するように構成されている。
【００７５】
その後、かかる「ＢＳＲｐｒｏｈｉｂｉｔタイマ」が満了した場合に、送信部１３は、ＢＳＲによって、かかる「ＢＳＲｐｒｏｈｉｂｉｔタイマ」が設定されているＤＦＧに対応するバッファ内のデータの総滞留量を通知し、かかる「ＢＳＲｐｒｏｈｉｂｉｔタイマ」を再起動するように構成されている。
【００７６】
なお、送信部１３は、かかるＢＳＲに対して、ＭＡＣ-ＡＣＫを確認することができない場合には、再度、ＢＳＲによって、かかる「ＢＳＲｐｒｏｈｉｂｉｔタイマ」が設定されているＤＦＧに対応するバッファ内のデータの総滞留量を通知するように構成されていてもよい。
【００７７】
また、本変更例２に係る移動局ＵＥにおいて、受信部１４によって受信されたスケジューリング信号（「ＵＬ  ｇｒａｎｔ」）に応じて、送信部１３は、無線基地局に対して、上りリンク信号を送信するように構成されている。
【００７８】
例えば、送信部１３は、「ＵＬ  ｇｒａｎｔ」によって割り当てられたリソースに余裕がある場合、高い優先度や中間の優先度が割り当てられているＤＦＧに属するＦＰＩのデータフロー内のＭＡＣ-ＳＤＵだけでなく、低い優先度が割り当てられているＤＦＧに属するＦＰＩのデータフロー内のＭＡＣ-ＳＤＵについても同一のＭＡＣ-ＰＤＵに詰め込むように構成されている。
【００７９】
なお、送信部１３は、「ＲＬＣ  ｃｏｎｔｒｏｌ  ＰＤＵ」や「ＰＤＣＰ  ｃｏｎｔｒｏｌ  ＰＤＵ」については、無線基地局ｅＮＢに対して、ＢＳＲによって、「ＢＳＲｐｒｏｈｉｂｉｔ機能」が「ＯＮ」に設定されており且つ「ＢＳＲｐｒｏｈｉｂｉｔタイマ」が起動されているＤＦＧに対応するバッファ内のデータの総滞留量を通知するように構成されていてもよい。
【００８０】
以下、図８及び図９を参照して、本変更例２に係る移動通信システムの動作について説明する。
【００８１】
第１に、図８を参照して、本変更例２に係る移動通信システムの動作の一例について説明する。
【００８２】
図８の例では、データフロー＃１に対して設定されているＦＰＩ＃１は、高い優先度が設定されているＤＦＧ＃Ａに属しており、データフロー＃２に対して設定されているＦＰＩ＃２は、低い優先度が設定されているＤＦＧ＃Ｂに属しているものとする。
【００８３】
図８に示すように、ステップＳ１００１において、無線基地局ｅＮＢは、輻輳が発生したことを検出して、移動局ＵＥに対して、低い優先度が設定されているＤＦＧ＃２に対する「ＢＳＲｐｒｏｈｉｂｉｔ機能」を「ＯＮ」に設定するための信号を送信する。
【００８４】
移動局ＵＥは、かかる信号を受信すると、ＤＦＧ＃２に対する「ＢＳＲｐｒｏｈｉｂｉｔ機能」を「ＯＮ」に設定すると共に、ステップＳ１００１Ａにおいて、ＤＦＧ＃２に対して設定されている「ＢＳＲｐｒｏｈｉｂｉｔタイマ」を起動する。
【００８５】
移動局ＵＥは、ステップＳ１００２において、データフロー＃１及び＃２において送信すべきデータが発生したことを検出すると、ステップＳ１００３において、無線基地局ｅＮＢに対して、ＢＳＲによって、ＤＦＧ＃Ａに対応するバッファ（図８の例では、データフロー＃２に対応するバッファ）内のデータの総滞留量を通知すると共に、ＤＦＧ＃Ｂに対応するバッファ（図８の例では、データフロー＃１に対応するバッファ）内にデータが滞留している旨を通知する。
【００８６】
ここで、無線基地局ｅＮＢは、かかるＢＳＲを参照して、データフロー＃２のデータの送信を優先するようなスケジューリング処理を行う。
【００８７】
ステップ１００４において、移動局ＵＥは、ＤＦＧ＃２に対して設定されている「ＢＳＲｐｒｏｈｉｂｉｔタイマ」が満了すると、無線基地局ｅＮＢに対して、ＢＳＲによって、ＤＦＧ＃Ａに対応するバッファ（図８の例では、データフロー＃２に対応するバッファ）内のデータの総滞留量を通知すると共に、ＤＦＧ＃Ｂに対応するバッファ（図８の例では、データフロー＃１に対応するバッファ）内のデータの総滞留量を通知する。
【００８８】
ステップＳ１００５において、無線基地局ｅＮＢは、輻輳が解消したことを検出して、移動局ＵＥに対して、ＤＦＧ＃２に対する「ＢＳＲｐｒｏｈｉｂｉｔ機能」を「ＯＦＦ」に設定するための信号を送信する。
【００８９】
移動局ＵＥは、かかる信号を受信すると、ＤＦＧ＃２に対する「ＢＳＲｐｒｏｈｉｂｉｔ機能」を「ＯＦＦ」に設定すると共に、ステップＳ１００５Ａにおいて、ＤＦＧ＃２に対して設定されている「ＢＳＲｐｒｏｈｉｂｉｔタイマ」を停止する。
【００９０】
第２に、図９を参照して、本変更例２に係る移動局ＵＥの動作について説明する。
【００９１】
図９に示すように、移動局ＵＥは、ステップＳ２０１において、「ｉ＝０」に設定し、ステップＳ２０２において、ＤＦＧ＃ｉに対して「ＢＳＲｐｒｏｈｉｂｉｔ機能」が「ＯＮ」に設定されているか否かについて判定する。
【００９２】
「ＹＥＳ」の場合、本動作は、ステップＳ２０３に進み、「ＮＯ」の場合、本動作は、ステップＳ２０４に進む。
【００９３】
ステップＳ２０３において、移動局ＵＥは、ＤＦＧ＃ｉに対して設定されている「ＢＳＲｐｒｏｈｉｂｉｔタイマ」が起動中であるか否かについて判定する。
【００９４】
「ＹＥＳ」の場合、本動作は、ステップＳ２０５に進み、「ＮＯ」の場合、本動作は、ステップＳ２０４に進む。
【００９５】
ステップＳ２０４において、移動局ＵＥは、無線基地局ｅＮＢに対して、ＤＦＧ＃ｉに対応するバッファ内のデータの総滞留量を通知することを決定する。
【００９６】
移動局ＵＥは、ステップＳ２０５において、「ｉ」の値を１つだけ増加させ、ステップＳ２０６において、「ｉ＜ｍａｘＤＦＧ（ＤＦＧの識別番号の最大値）」が成立するか否かについて判定する。
【００９７】
「ＹＥＳ」の場合、本動作は、ステップＳ２０２に戻り、「ＮＯ」の場合、本動作は、終了する。
【００９８】
移動局ＵＥは、上述の動作によって得られた決定に基づいて、ＢＳＲを生成する。すなわち、移動局ＵＥは、ステップＳ２０４においてバッファ内のデータの総滞留量を通知すると決定されたＤＦＧ＃内のバッファ内のデータの総滞留量を通知すると共に、それ以外のＤＦＧに対応するバッファ内にデータが滞留している旨を通知するＢＳＲを生成する。
【００９９】
以上に述べた本実施形態の特徴は、以下のように表現されていてもよい。
【０１００】
本実施形態の第１の特徴は、移動局ＵＥであって、ＬＣＧ（論理チャネルグループ）を管理すると共に、データフローに割り当てられている優先度のグループであるＤＦＧ（優先度グループ）を管理するように構成されている管理部１１と、無線基地局ｅＮＢに対して、ＬＣＧ及びＤＦＧの組み合わせに対応するバッファ内のデータの総滞留量を通知するように構成されている送信部１３とを具備することを要旨とする。
【０１０１】
かかる特徴によれば、移動局ＵＥは、ＬＣＧ及びＤＦＧの組み合わせに対応するバッファ内のデータの総滞留量を通知することができるため、ＦＰＩの粒度で、無線基地局に対してバッファ内のデータの総蓄積量を報告することができる。
【０１０２】
その結果、例えば、無線基地局ｅＮＢは、高い優先度のＦＰＩが割り当てられているデータに対して早期にスケジューリングを行うことができる。
【０１０３】
本実施形態の第２の特徴は、移動局ＵＥであって、ＬＣＧを管理すると共に、データフローに割り当てられている優先度のグループであるＤＦＧを管理するように構成されている管理部１１と、無線基地局ｅＮＢに対して、ＢＳＲ（バッファステータスレポート）における所定のＬＣＧに対応するバッファ内のデータの総滞留量を通知する領域によって、無線基地局ｅＮＢに対して、上述のＤＦＧに対応するバッファ内のデータの総滞留量を通知するように構成されている送信部１３を具備することを要旨とする。
【０１０４】
かかる特徴によれば、移動局ＵＥは、既存のＢＳＲのフォーマットを流用して、ＬＣＧ及びＤＦＧの組み合わせに対応するバッファ内のデータの総滞留量を通知することができる。
【０１０５】
本実施形態の第３の特徴は、移動局ＵＥであって、ＤＦＧを管理するように構成されている管理部１１と、無線基地局ｅＮＢに対して、所定のＤＦＧに対応するバッファ内のデータの総滞留量を通知するように構成されている送信部１３とを具備し、送信部１３は、所定のＤＦＧ以外のＤＦＧに対応するバッファ内にデータが滞留している場合であっても、かかる所定のＤＦＧ以外のＤＦＧに対応するバッファ内のデータの総滞留量を通知せずに、該バッファ内にデータが滞留している旨を通知するように構成されていることを要旨とする。
【０１０６】
かかる特徴によれば、無線基地局ｅＮＢは、高い優先度（或いは、中間の優先度）が割り当てられているＤＦＧに対応するバッファ内のデータの総滞留量のみを把握して、スケジューリング処理を行うため、かかる所定のＤＦＧに対応するバッファ内のデータの送信を優先的に送信させることができる。
【０１０７】
本実施形態の第３の特徴において、かかる所定のＤＦＧは、「ＢＳＲｐｒｏｈｉｂｉｔタイマ（所定タイマ）」が起動していないＤＦＧであってもよい。
【０１０８】
かかる特徴によれば、移動局ＵＥは、低い優先度が割り当てられているＤＦＧに対応するバッファ内のデータの総滞留量についても、無線基地局ｅＮＢに対して周期的に報告することができる。
【０１０９】
本実施形態の第３の特徴において、「ＢＳＲｐｒｏｈｉｂｉｔタイマ」は、無線基地局ｅＮＢによる指示に応じて起動するように構成されていてもよい。
【０１１０】
かかる特徴によれば、無線基地局ｅＮＢは、低い優先度が割り当てられているＤＦＧに対応するバッファ内のデータの総滞留量を報告するタイミングを制御することができる。
【０１１１】
本実施形態の第３特徴において、「ＢＳＲｐｒｏｈｉｂｉｔタイマ」の値は、ＤＦＧごとに独立して設定されるように構成されていてもよい。
【０１１２】
無線基地局ｅＮＢは、低い優先度が割り当てられているＤＦＧごとに、対応するバッファ内のデータの総滞留量を報告するタイミングを変えることができる。
【０１１３】
本実施形態の第４特徴は、無線基地局ｅＮＢであって、ＤＦＧに対応するバッファ内のデータの総滞留量を通知することができる移動局ＵＥに対して、所定のＤＦＧ以外のＤＦＧに対応するバッファ内にデータが滞留している場合であっても、かかる所定のＤＦＧ以外のＤＦＧに対応するバッファ内のデータの総滞留量を通知せずに、該バッファ内にデータが滞留している旨を通知するように指示するように構成されている送信部２３を具備することを要旨とする。
【０１１４】
かかる特徴によれば、無線基地局ｅＮＢは、高い優先度（或いは、中間の優先度）が割り当てられているＤＦＧに対応するバッファ内のデータの総滞留量のみを把握して、スケジューリング処理を行うため、かかる所定のＤＦＧに対応するバッファ内のデータの送信を優先的に送信させることができる。
【０１１５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１１６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１１８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１９】
ｅＮＢ…無線基地局
ＵＥ…移動局
１１…管理部
１２…生成部
１３、２３…送信部
１４、２４…受信部
２１…設定部
２２…検出部
２５…スケジューリング部
【図１】
2014212441.tif 000003
【図２】
2014212441.tif 000004
【図３】
2014212441.tif 000005
【図４】
2014212441.tif 000006
【図５】
2014212441.tif 000007
【図６】
2014212441.tif 000008
【図７】
2014212441.tif 000009
【図８】
2014212441.tif 000010
【図９】
2014212441.tif 000011
【図１０】
2014212441.tif 000012
【図１１】
2014212441.tif 000013
【図１２】
2014212441.tif 000014